(57)【特許請求の範囲】
【請求項１】
無線通信システムにおいて無線装置が多数セルに対してパワーヘッドルーム（ＰＨ）を報告する方法であって、
第１のサービングセルの第１ＢＷＰ（ｂａｎｄｗｉｄｔｈ  ｐａｒｔ）に関する第１タイムスロットにおいてＰＵＳＣＨ（Ｐｈｙｓｉｃａｌ  Ｕｐｌｉｎｋ  Ｓｈａｒｅｄ  Ｃｈａｎｎｅｌ）送信に対する第１パワーヘッドルーム（ＰＨ）を計算するステップと、
第２のサービングセルの第２ＢＷＰに関する複数のタイムスロットのそれぞれと少なくとも部分で重複する前記第１タイムスロットに基づいて、
前記第１ＢＷＰについてのそれぞれのタイムスロットの区間が前記第２ＢＷＰについてのそれぞれのタイムスロットの区間より長くなるように、前記第１のサービングセルの前記第１ＢＷＰは、前記第２のサービングセルの前記第２ＢＷＰの第２サブキャリアスペーシング（ＳＣＳ）より小さい第１サブキャリアスペーシング（ＳＣＳ）を有し、
前記第２のサービングセルの前記第２ＢＷＰについての第２タイムスロットでＰＵＳＣＨ送信に対する第２ＰＨを計算するステップであって、前記第２タイムスロットは、前記第１タイムスロットと時間が十分に重複する前記複数のタイムスロットの中の、初期タイムスロットである、ステップと、
前記第１ＰＨと前記第２ＰＨを報告するステップを含む、方法。
【請求項２】
前記第１ＰＨと前記第２ＰＨの両方は、前記第１のサービングセルの前記第１ＢＷＰについての前記第１タイムスロットにおいて前記ＰＵＳＣＨ送信で前記無線装置により報告される、請求項１に記載の方法。
【請求項３】
前記第１のサービングセルの前記第１ＢＷＰについての前記第１タイムスロットにおける前記ＰＵＳＣＨ送信に対する前記第１ＰＨは、前記第１のサービングセルに対する前記無線装置の設定された第１最大送信電力に基づいて計算され、
前記第２のサービングセルの前記第２ＢＷＰについての前記第２タイムスロットにおける前記ＰＵＳＣＨ送信に対する前記第２ＰＨは、前記第２のサービングセルに対する前記無線装置の設定された第２最大送信電力に基づいて計算される、請求項１に記載の方法。
【請求項４】
前記第１のサービングセルの前記第１ＢＷＰの前記第１ＳＣＳは、１５ＫＨｚ、３０ＫＨｚ、６０ＫＨｚ及び１２０ＫＨｚの中の第１の値に等しく、
前記第２のサービングセルの前記第２ＢＷＰの前記第２ＳＣＳは、前記第１の値よりも大きい、１５ＫＨｚ、３０ＫＨｚ、６０ＫＨｚ及び１２０ＫＨｚの中の第２の値に等しい、請求項１に記載の方法。
【請求項５】
前記第１ＢＷＰについてのそれぞれのタイムスロットと、前記第２ＢＷＰについてのそれぞれのタイムスロットは、１４ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記第１ＢＷＰについてのそれぞれのＯＦＤＭシンボル区間は、前記第２ＢＷＰについてのそれぞれのＯＦＤＭシンボル区間と異なる、請求項４に記載の方法。
【請求項６】
前記無線装置は、（ｉ）前記第１のサービングセルに対する第１周波数範囲内で前記第１ＢＷＰを含む第１の複数のＢＷＰと、（ｉｉ）前記第２のサービングセルに対する第２周波数範囲内で前記第２ＢＷＰを含む第２の複数のＢＷＰで設定される、請求項１に記載の方法。
【請求項７】
前記第１のサービングセルの前記第１ＢＷＰについての前記第１タイムスロット内で前記ＰＵＳＣＨ送信をスケジューリングするための第１ＤＣＩ（ｄｏｗｎｌｉｎｋ  ｃｏｎｔｒｏｌ  ｉｎｆｏｒｍａｔｉｏｎ）を受信するステップと、
前記第２のサービングセルの前記第２ＢＷＰについての前記第２タイムスロット内で前記ＰＵＳＣＨ送信をスケジューリングするための第２ＤＣＩを受信するステップとをさらに含む、請求項１に記載の方法。
【請求項８】
前記第１ＤＣＩは、（ｉ）前記第１のサービングセルの前記第１ＢＷＰについての前記第１タイムスロット内で前記ＰＵＳＣＨ送信に適用される送信電力コマンド（ＴＰＣ：ｔｒａｎｓｍｉｔ  ｐｏｗｅｒ  ｃｏｍｍａｎｄ）と、（ｉｉ）前記第１ＤＣＩが受信されるタイムスロットと、前記ＰＵＳＣＨ送信が前記第１のサービングセルの前記第１ＢＷＰについて実行される前記第１タイムスロットの間の遅延に関連する遅延フィールドを含む、請求項７に記載の方法。
【請求項９】
前記第１のサービングセルの前記第１ＢＷＰについての前記第１タイムスロット内で前記ＰＵＳＣＨ送信をスケジューリングするための第１ＤＣＩを受信するステップと、
第３のサービングセルに対するＰＵＳＣＨ送信をスケジューリングするための第３ＤＣＩを受信するステップと、
（ｉ）前記第３のサービングセルに対する前記ＰＵＳＣＨ送信と時間が重複する前記第１のサービングセルに対する前記ＰＵＳＣＨ送信と、（ｉｉ）前記第１ＤＣＩの後に受信される前記第３ＤＣＩに基づいて、
前記第３のサービングセルに対する前記ＰＵＳＣＨ送信を考慮することなく、前記第１のサービングセルに対する前記ＰＵＳＣＨ送信に対する前記第１ＰＨを計算するステップと、
前記第１ＰＨを報告するステップをさらに含む、請求項１に記載の方法。
【請求項１０】
無線通信システムに対する装置であって、
プロセッサと、
前記プロセッサと動作的に結合し、前記プロセッサにより実行された時、前記装置に機能を実行させるインストラクションを格納するメモリとを含み、
第１のサービングセルの第１ＢＷＰ（ｂａｎｄｗｉｄｔｈ  ｐａｒｔ）に関する第１タイムスロットにおいてＰＵＳＣＨ（Ｐｈｙｓｉｃａｌ  Ｕｐｌｉｎｋ  Ｓｈａｒｅｄ  Ｃｈａｎｎｅｌ）送信に対する第１パワーヘッドルーム（ＰＨ）を計算し、
第２のサービングセルの第２ＢＷＰに関する複数のタイムスロットのそれぞれと少なくとも部分で重複する前記第１タイムスロットに基づいて、前記第１ＢＷＰについてのそれぞれのタイムスロットの区間が前記第２ＢＷＰについてのそれぞれのタイムスロットの区間より長くなるように、前記第１のサービングセルの前記第１ＢＷＰは、前記第２のサービングセルの前記第２ＢＷＰの第２サブキャリアスペーシング（ＳＣＳ）より小さい第１サブキャリアスペーシング（ＳＣＳ）を有し、
前記第２のサービングセルの前記第２ＢＷＰについての第２タイムスロットでＰＵＳＣＨ送信に対する第２ＰＨを計算し、前記第２タイムスロットは、前記第１タイムスロットと時間が十分に重複する前記複数のタイムスロットの中の、初期タイムスロットであり、
前記第１ＰＨと前記第２ＰＨを報告する、装置。
【請求項１１】
前記第１ＰＨと前記第２ＰＨの両方は、前記第１のサービングセルの前記第１ＢＷＰについての前記第１タイムスロットにおいて前記ＰＵＳＣＨ送信で前記装置により報告される、請求項１０に記載の装置。
【請求項１２】
前記第１のサービングセルの前記第１ＢＷＰについての前記第１タイムスロットにおける前記ＰＵＳＣＨ送信に対する前記第１ＰＨは、前記第１のサービングセルに対する前記装置の設定された第１最大送信電力に基づいて計算され、
前記第２のサービングセルの前記第２ＢＷＰについての前記第２タイムスロットにおける前記ＰＵＳＣＨ送信に対する前記第２ＰＨは、前記第２のサービングセルに対する前記装置の設定された第２最大送信電力に基づいて計算される、請求項１０に記載の装置。
【請求項１３】
前記第１のサービングセルの前記第１ＢＷＰの前記第１ＳＣＳは、１５ＫＨｚ、３０ＫＨｚ、６０ＫＨｚ及び１２０ＫＨｚの中の第１の値に等しく、
前記第２のサービングセルの前記第２ＢＷＰの前記第２ＳＣＳは、前記第１の値よりも大きい、１５ＫＨｚ、３０ＫＨｚ、６０ＫＨｚ及び１２０ＫＨｚの中の第２の値に等しい、請求項１０に記載の装置。
【請求項１４】
前記第１ＢＷＰについてのそれぞれのタイムスロットと、前記第２ＢＷＰについてのそれぞれのタイムスロットは、１４ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記第１ＢＷＰについてのそれぞれのＯＦＤＭシンボル区間は、前記第２ＢＷＰについてのそれぞれのＯＦＤＭシンボル区間と異なる、請求項１３に記載の装置。
【請求項１５】
前記装置は、（ｉ）前記第１のサービングセルに対する第１周波数範囲内で前記第１ＢＷＰを含む第１の複数のＢＷＰと、（ｉｉ）前記第２のサービングセルに対する第２周波数範囲内で前記第２ＢＷＰを含む第２の複数のＢＷＰで設定される、請求項１０に記載の装置。
【請求項１６】
前記機能は、
前記第１のサービングセルの前記第１ＢＷＰについての前記第１タイムスロット内で前記ＰＵＳＣＨ送信をスケジューリングするための第１ＤＣＩ（ｄｏｗｎｌｉｎｋ  ｃｏｎｔｒｏｌ  ｉｎｆｏｒｍａｔｉｏｎ）を受信し、
前記第２のサービングセルの前記第２ＢＷＰについての前記第２タイムスロット内で前記ＰＵＳＣＨ送信をスケジューリングするための第２ＤＣＩを受信することをさらに含む、請求項１０に記載の装置。
【請求項１７】
前記第１ＤＣＩは、（ｉ）前記第１のサービングセルの前記第１ＢＷＰについての前記第１タイムスロット内で前記ＰＵＳＣＨ送信に適用される送信電力コマンド（ＴＰＣ：ｔｒａｎｓｍｉｔ  ｐｏｗｅｒ  ｃｏｍｍａｎｄ）と、（ｉｉ）前記第１ＤＣＩが受信されるタイムスロットと、前記ＰＵＳＣＨ送信が前記第１のサービングセルの前記第１ＢＷＰについて実行される前記第１タイムスロットの間の遅延に関連する遅延フィールドを含む、請求項１６に記載の装置。
【請求項１８】
前記機能は、
前記第１のサービングセルの前記第１ＢＷＰについての前記第１タイムスロット内で前記ＰＵＳＣＨ送信をスケジューリングするための第１ＤＣＩを受信し、
第３のサービングセルに対するＰＵＳＣＨ送信をスケジューリングするための第３ＤＣＩを受信し、
（ｉ）前記第３のサービングセルに対する前記ＰＵＳＣＨ送信と時間が重複する前記第１のサービングセルに対する前記ＰＵＳＣＨ送信と、（ｉｉ）前記第１ＤＣＩの後に受信される前記第３ＤＣＩに基づいて、
前記第３のサービングセルに対する前記ＰＵＳＣＨ送信を考慮することなく、前記第１のサービングセルに対する前記ＰＵＳＣＨ送信に対する前記第１ＰＨを計算し、
前記第１ＰＨを報告することをさらに含む、請求項１０に記載の装置。
【発明の詳細な説明】
【技術分野】
【０００１】
本発明は、無線通信に関し、より詳しくは、無線通信システムにおけるパワーヘッドルームを報告する方法及びこれを利用した装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）は、２０１５年９月開催されたワークショップで５Ｇ標準化に対する全般的な日程と概念を合意した。最上位Ｕｓｅ−ｃａｓｅとして、ｅＭＢＢ（Ｅｎｈａｎｃｅｄ  Ｍｏｂｉｌｅ  Ｂｒｏａｄｂａｎｄ）、Ｍａｓｓｉｖｅ  Ｍａｃｈｉｎｅ  Ｔｙｐｅ  Ｃｏｍｍｕｎｉｃａｔｉｏｎｓ、ＵＲＬＬＣ（Ｕｌｔｒａ−ｒｅｌｉａｂｌｅ  ａｎｄ  Ｌｏｗ  Ｌａｔｅｎｃｙ  Ｃｏｍｍｕｎｉｃａｔｉｏｎ）などが規定された。サービスシナリオ及び新しい要求事項を満たすために、３ＧＰＰは、既存ＬＴＥ（ｌｏｎｇ  ｔｅｒｍ  ｅｖｏｌｕｔｉｏｎ）とは異なるＮＲ（ｎｅｗ  ｒａｄｉｏ）を定義することに決定し、ＬＴＥとＮＲの両方ともを５Ｇラジオアクセス技術であると定義した。
【０００３】
アップリンク送信パワーを制御することは、端末のバッテリ消耗を減らし、端末間のアップリンク送信による干渉を緩和するためである。より柔軟な帯域幅及びチャネル構造をサポートする端末と基地局が導入されるにつれてアップリンク送信パワーを効率的に制御する必要がある。
【発明の概要】
【発明が解決しようとする課題】
【０００４】
本発明は、パワーヘッドルームを報告する方法及びこれを利用した装置を提供する。
【課題を解決するための手段】
【０００５】
一態様において、無線通信システムにおけるパワーヘッドルームを報告する方法は、第１の副搬送波間隔を有する第１のバンドの第１の送信区間（ｔｒａｎｓｍｉｓｓｉｏｎ  ｐｅｒｉｏｄ）で送信されるＰＵＳＣＨ（ｐｈｙｓｉｃａｌ  ｕｐｌｉｎｋ  ｓｈａｒｅｄ  ｃｈａｎｎｅｌ）のためのパワーヘッドルームを計算し、前記パワーヘッドルームを報告することを含む。前記パワーヘッドルームは、前記第１の送信区間と重複する第２の副搬送波間隔を有する第２のバンドの少なくとも一つの第２の送信区間に基づいて計算される。
【０００６】
他の態様において、無線通信システムにおけるパワーヘッドルームを報告する装置は、無線信号を送信及び受信する送受信機と、前記送受信機に連結されるプロセッサと、を含む。前記プロセッサは、第１の副搬送波間隔を有する第１のバンドの第１の送信区間（ｔｒａｎｓｍｉｓｓｉｏｎ  ｐｅｒｉｏｄ）で送信されるＰＵＳＣＨ（ｐｈｙｓｉｃａｌ  ｕｐｌｉｎｋ  ｓｈａｒｅｄ  ｃｈａｎｎｅｌ）のためのパワーヘッドルームを計算し、報告する。前記パワーヘッドルームは、前記第１の送信区間と重複する第２の副搬送波間隔を有する第２のバンドの少なくとも一つの第２の送信区間に基づいて計算される。
【発明の効果】
【０００７】
端末のバッテリ消耗を減らし、アップリンク送信による干渉を緩和することができる。
【図面の簡単な説明】
【０００８】
【図１】本発明が適用されるサブフレーム構造の一例を示す。
【図２】ハイブリッドビームフォーミングの一例を示す。
【図３】本発明の一実施例に係るサウンディング基準信号の送信を示す。
【図４】本発明の一実施例に係るパワーヘッドルームを報告する方法を示す。
【図５】ＰＵＳＣＨと複数のＰＵＣＣＨの同時送信の一例を示す。
【図６】ＰＵＳＣＨと複数のＰＵＣＣＨの同時送信の他の例を示す。
【図７】互いに異なるＵＬスケジューリングタイミングでのＰＨ報告のための例を示す。
【図８】セル間のＴＡ適用可否によるＰＨ計算の例を示す。
【図９】本発明の一実施例に係る送信パワー制御方法を示す。
【図１０】遅延フィールドを有するＵＬチャネルスケジューリングの一例を示す。
【図１１】遅延フィールドを有するＵＬフィードバックの一例を示す。
【図１２】既存ＴＰＣの利用による問題点を示す。
【図１３】提案されるグループＴＰＣ  ＤＣＩの一例を示す。
【図１４】提案されるグループＴＰＣ  ＤＣＩの他の例を示す。
【図１５】提案されるグループＴＰＣ  ＤＣＩの他の例を示す。
【図１６】ＴＰＣ  ＤＣＩを受信した後に適用されるタイミングの一例を示す。
【図１７】本発明の実施例が具現される無線通信システムを示すブロック図である。
【発明を実施するための形態】
【０００９】
無線機器（ｗｉｒｅｌｅｓｓ  ｄｅｖｉｃｅ）は、固定されてもよいし、移動性を有してもよく、ＵＥ（Ｕｓｅｒ  Ｅｑｕｉｐｍｅｎｔ）、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。または、無線機器は、ＭＴＣ（Ｍａｃｈｉｎｅ−Ｔｙｐｅ  Ｃｏｍｍｕｎｉｃａｔｉｏｎ）機器のようにデータ通信のみをサポートする機器である。
【００１０】
基地局（ｂａｓｅ  ｓｔａｔｉｏｎ、ＢＳ）は、一般的に無線機器と通信する固定局（ｆｉｘｅｄ  ｓｔａｔｉｏｎ）と意味し、ｅＮＢ（ｅｖｏｌｖｅｄ−ＮｏｄｅＢ）、ｇＮＢ、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。ＴＲＰ（Ｔｒａｎｓｍｉｓｓｉｏｎ  Ｒｅｃｅｐｔｉｏｎ  Ｐｏｉｎｔ）は、一つまたはそれ以上のアンテナ要素を有するアンテナアレイを含む。基地局は、一つまたはそれ以上のＴＲＰを含むことができる。
【００１１】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ（Ｔｅｃｈｎｉｃａｌ  Ｓｐｅｃｉｆｉｃａｔｉｏｎ）に基づく３ＧＰＰ  ＬＴＥ（ｌｏｎｇ  ｔｅｒｍ  ｅｖｏｌｕｔｉｏｎ）に基づいて本発明が適用されることを記述する。これは例示に過ぎず、本発明は、多様な無線通信ネットワークに適用されることができる。
【００１２】
３ＧＰＰ  ＬＴＥにおいて、ＤＬ物理チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＤＳＣＨ（Ｐｈｙｓｉｃａｌ  Ｄｏｗｎｌｉｎｋ  Ｓｈａｒｅｄ  Ｃｈａｎｎｅｌ）を含むことができる。ＵＬ物理チャネルは，ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）を含むことができる。ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）ともいう）またはＰＵＳＣＨのリソース割当（これをＵＬグラント（ｕｐｌｉｎｋ  ｇｒａｎｔ）ともいう）を含むことができる。
【００１３】
５Ｇラジオアクセス技術であるＮＲ（ｎｅｗ  ｒａｄｉｏ）は、一層柔軟なスケジューリングのために多様な帯域幅と周波数バンドをサポートする。６ＧＨｚ以下の周波数帯域だけでなく、６ＧＨｚ以上の周波数帯域をサポートする。サポートする帯域幅も、６ＧＨｚ以下では最大１００ＭＨｚであり、６ＧＨｚ以上では最大４００ＭＨｚである。また、１５ｋＨｚの副搬送波間隔（ｓｕｂｃａｒｒｉｅｒ  ｓｐａｃｉｎｇ）に固定された３ＧＰＰ  ＬＴＥとは違って、ＮＲは、１５ｋＨｚ、３０ｋＨｚ、６０ｋＨｚ、１２０ＫＨｚ、２４０ｋＨｚの多様な副搬送波間隔をサポートすることができる。
【００１４】
図１は、本発明が適用されるサブフレーム構造の一例を示す。
【００１５】
サブフレームは、ＴＴＩ（ｔｒａｎｓｍｉｓｓｉｏｎ  ｔｉｍｅ  ｉｎｔｅｒｖａｌ）を示す単位であり、例えば、１ｍｓ送信間隔を示す。スロットは、スケジューリング単位であり、例えば、一スロットは、１４個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。副搬送波間隔が１５ｋＨｚである時、一スロット内の１４ＯＦＤＭシンボルは１ｍｓに対応される。副搬送波間隔が３０ｋＨｚである場合、スロットは依然として１４ＯＦＤＭシンボルを含むが、サブフレームは２スロットを含む。
【００１６】
スロットは、時間領域で少なくとも３個の領域に分けられる。ＤＬ制御領域は、ＤＬ制御チャネルが送信される領域である。ＵＬ制御領域は、ＵＬ制御チャネルが送信される領域である。データ領域は、ＤＬデータチャネルまたはＵＬデータチャネルが送信される領域である。各領域のためのＯＦＤＭシンボルの数や位置は、例示にすぎない。例えば、ＵＬ制御領域は、１番目のスロットの最初のＯＦＤＭシンボルや２番目のスロットの最初のＯＦＤＭシンボルに配置されることもできる。
【００１７】
各領域間には送信モードから受信モードへの転換のためのスイッチング区間が設定されることができる。例えば、ＤＬデータのためのデータ領域とＵＬ制御領域との間の少なくとも一つのＯＦＤＭシンボルは、ＧＰ（ｇｕａｒｄ  ｐｅｒｉｏｄ）に設定されて、スイッチング区間として役割を遂行することができる。
【００１８】
一つのスロットで、ＤＬ送信とＵＬ送信が順次に進行される。無線機器は、一つのスロットでＤＬデータを受信し、ＨＡＲＱ（ｈｙｂｒｉｄ  ａｕｔｏｍａｔｉｃ  ｒｅｐｅａｔ  ｒｅｑｕｅｓｔ）ＡＣＫ／ＮＡＣＫも送信できる。したがって、受信したＤＬデータにエラーが発生しても、再送信データを受信するときに時間を減らすようになって、データ伝達のレイテンシ（ｌａｔｅｎｃｙ）を最小化することができる。
【００１９】
図２は、ハイブリッドビームフォーミングの一例を示す。
【００２０】
ＮＲ（ｎｅｗ  ｒａｄｉｏ）は、６ＧＨｚ以上の周波数バンドでも動作できる。高い周波数バンドでは波長が短くなって同じ面積に一層多くのアンテナ要素を設置することができる。例えば、３０ＧＨｚ帯域で波長はλ＝１ｃｍである。５ｂｙ５ｃｍのパネルにλ／２間隔に二次元配列形態で総１００個のアンテナ要素が設置されることができる。一層多くのアンテナ要素は、ビームフォーミング利得を高めて、カバレッジが増加されたりスループット（ｔｈｒｏｕｇｈｐｕｔ）が高まったりすることができる。
【００２１】
各アンテナ要素にＴＸＲＵ（ｔｒａｎｓｃｅｉｖｅｒ  ｕｎｉｔ）が配置されると、送信パワー及び位相を調節することができ、周波数リソース別に独立的なビームフォーミングが可能である。しかし、１００個のアンテナ要素の全てにＴＸＲＵを設置するにはコスト側面で実効性が低くなる。一つのＴＸＲＵに多数個のアンテナ要素をマッピングし、アナログ移相器（ａｎａｌｏｇ  ｐｈａｓｅ  ｓｈｉｆｔｅｒ）でビームの方向を調節する方式が考慮されている。このアナログビームフォーミング方式は、全帯域で一つのビーム方向のみを作ることができて、周波数選択的ビームフォーミングをすることができない。
【００２２】
デジタルＢＦ（ｂｅａｍｆｏｒｍｉｎｇ）とアナログＢＦの中間形態として、Ｍ個のアンテナ要素にＮ個のＴＸＲＵをマッピングするハイブリッドＢＦを考慮することができる。Ｍ＞Ｎである。この場合、ＴＸＲＵとアンテナ要素連結方式によって異なるが、同時に送信できるビーム方向は、Ｎ個以下に制限されるようになる。ハイブリッドＢＦのアナログＢＦは、ＲＦ（ｒａｄｉｏ  ｆｒｅｑｕｅｎｃｙ）端でプリコーディング（または、結合（Ｃｏｍｂｉｎｉｎｇ））を実行する動作を意味する。
【００２３】
Ｎ個のＴＸＲＵとＭ個のアンテナ要素を有するハイブリッドＢＦで、送信されるＬ個のデータ階層に対するデジタルＢＦは、ＮｂｙＬ行列で表すことができる。変換されたＮ個のデジタル信号は、Ｎ個のＴＸＲＵを経てアナログ信号に変換された後、ＭｂｙＮ行列で表現されるアナログＢＦが適用される。このとき、デジタルビームの個数はＬ個であり、アナログビームの個数はＮ個である。さらに、ＮＲシステムでは、基地局がアナログＢＦをシンボル単位で変更できるように設計することで、特定の地域に位置した端末に一層効率的なＢＦをサポートする方向を考慮している。Ｎ個のＴＸＲＵとＭ個のアンテナ要素を一つのアンテナパネル（ｐａｎｅｌ）に定義する時、前記ＮＲシステムでは、互いに独立的なハイブリッドＢＦが可能な複数のアンテナパネルを導入する方案も考慮されている。
【００２４】
前述したように、ＮＲシステムでは、基本時間単位でも多様なシンボル数で構成されたＰＵＳＣＨとＰＵＣＣＨ送信を許容することによって、柔軟なＵＬスケジューリングをサポートする。ＵＬ送信にもアナログＢＦを適用することによって、最適のＲＸ−ＴＸビームペア（ｐａｉｒ）を介した送信効率増大を追求している。ＰＵＳＣＨ送信にＳＣ−ＦＤＭ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅｘｉｎｇ）方式とＯＦＤＭ方式を両方ともサポートすることによって、無線機器のカバレッジによって他のＰＡＰＲ（Ｐｅａｋ−ｔｏ−Ａｖｅｒａｇｅ  Ｐｏｗｅｒ  Ｒａｔｉｏ）特性のＵＬ波形（ｗａｖｅｆｏｒｍ）を選択することができる。ＰＵＣＣＨ送信においても、ＰＡＰＲが低い波形と、ＰＡＰＲが大きく且つ高い送信率をサポートする波形と、を両方ともサポートする。
【００２５】
以下、便宜上、下記のような用語を使用する。
【００２６】
−ＵＬビームペア（ｂｅａｍ  ｐａｉｒ）：無線機器により送信されるＵＬ送信ビームと基地局により受信されるＵＬ受信ビームの組み合わせ
【００２７】
−ＳＣ−ＦＤＭ  ＰＵＳＣＨ：ＳＣ−ＦＤＭは、変調シンボル集合にＤＦＴ（ｄｉｓｃｒｅｔｅ  Ｆｏｕｒｉｅｒ  ｔｒａｎｓｆｏｒｍ）プリコーディングを経た後、ＩＦＦＴ（Ｉｎｖｅｒｓｅ  Ｆａｓｔ  Ｆｏｕｒｉｅｒ  ｔｒａｎｓｆｏｒｍ）をする方式である。ＰＡＰＲが低い波形形態で送信されるＰＵＳＣＨである。
【００２８】
−ＯＦＤＭ  ＰＵＳＣＨ：変調シンボル集合にＤＦＴプリコーディング無しでＩＦＦＴをする方式に送信されるＰＵＳＣＨ
【００２９】
−シーケンスＰＵＣＣＨ：一つまたは複数のＰＡＰＲが低いシーケンス形態で送信されるＰＵＣＣＨ
【００３０】
−ＯＦＤＭ  ＰＵＣＣＨ：変調シンボル集合にＩＦＦＴをする形態で送信されるＰＵＣＣＨ
【００３１】
−Ｌ−ＰＵＣＣＨ：一つのスロット内で相対的に多くの数のＯＦＤＭシンボル（例えば、４ＯＦＤＭ  ｓｙｍｂｏｌ以上）を介して送信され、または複数のスロットにわたって送信されるＰＵＣＣＨ
【００３２】
−Ｓ−ＰＵＣＣＨ：相対的に少ない数のＯＦＤＭシンボル（例えば、２ＯＦＤＭシンボル以下）を介して送信されるＰＵＣＣＨ
【００３３】
互いに異なるＰＵＣＣＨフォーマットは、シンボル数、帯域幅、変調形態（例えば、シーケンスＰＵＣＣＨとＯＦＤＭ  ＰＵＣＣＨ）、チャネルコーディング方式などに区分されるＰＵＣＣＨフォーマットを意味する。
【００３４】
以下、多様なＵＬ送信環境でＵＬパワーを制御する方法が提案される。
【００３５】
図３は、本発明の一実施例に係るサウンディング基準信号の送信を示す。
【００３６】
ステップＳ３１０において、無線機器は、ＳＲＳ（ｓｏｕｎｄｉｎｇ  ｒｅｆｅｒｅｎｃｅ  ｓｉｇｎａｌ）送信のためのＵＬビームペアを決定する。ステップＳ３２０において、無線機器は、ＵＬビームペアに対応するＳＲＳの送信パワーを決定する。ステップＳ３３０において、無線機器は、決定された送信パワーによってＳＲＳを送信する。
【００３７】
ＳＲＳは、基地局がＵＬスケジューリングのためのＵＬチャネル品質を測定し、または基地局と無線機器との間のビーム選択／改善（ｂｅａｍ  ｓｅｌｅｃｔｉｏｎ／ｒｅｆｉｎｅｍｅｎｔ）をするために使われることができる。無線機器が、互いに異なるタイミングに互いに異なるＴＸ（ｔｒａｎｓｍｉｔ）ビームを介してＳＲＳを送信し、または互いに異なるタイミングに同じＴＸビームを介してＳＲＳを送信すると、基地局は、各ＳＲＳ送信に対して互いに異なるＲＸ（ｒｅｃｅｉｖｅ）ビームを適用し、受信品質を測定する。基地局は、最も良いＵＬビームペアを選択し、無線機器との通信に活用できる。各ＵＬビームペア別に送信されるＳＲＳを便宜上ｂＳＲＳという。
【００３８】
各ＵＬビームペアに対して各々適切なＵＬパワー制御を適用すると、各ＵＬビームペアに対してｂＳＲＳ送信パワーを最適化することができる。しかし、ＵＬビームペア別にパワー制御を実行する複雑度とシグナリングオーバーヘッドが大きくなる。特定ＵＬビームペアに対しては、基地局が制御権を失い、または制御権を取得する前にｂＳＲＳを送信すべき場合もある。複数のＵＬビームペアに対するパワー制御が維持されていても、複数のＵＬビームペアに対するリンク効率を公正に比較するためには、各ＵＬビームペアに対するｂＳＲＳの送信パワーを同じ水準に合わせることが効果的である。
【００３９】
したがって、本実施例は、複数のＵＬビームペアに対するＵＬパワー制御のための方式を提案する。以下、‘ＵＬビームペア’とは、基地局のＲＸビームと無線機器のＴＸビームの両方ともを考慮することもでき、基地局のＲＸビームは無視して無線機器のＴＸビームのみを考慮することもできる。無線機器により送信される各ＵＬビームペアに対応するｂＳＲＳは、時間、周波数、シーケンスなどを介して区分されることができる。
【００４０】
第１の実施例において、ＵＬビームペアに対応するｂＳＲＳの送信パワーがＵＬ基準ビームペアに対応するｂＳＲＳの送信パワーを基準にして設定されることができる。
【００４１】
ｉ番目のＵＬビームペア（これを、ＵＬ  ＢＰ（ｉ）という）に対応するｂＳＲＳをｂＳＲＳ（ｉ）と仮定する。ｉ＝１、...、Ｋとする。Ｋは、無線機器により形成されることができる全てのＵＬビームペアの総数である。または、Ｋは、無線機器により形成されることができるビームペアグループ内のビームペアの数である。ｂＳＲＳ（ｉ）の送信パワーは、ｂＳＲＳ（ｊ）の送信パワーを基準にして設定できる。１＜＝ｊ＜＝Ｋとする。ＵＬ  ＢＰ（ｊ）をＵＬ基準ビームペア（ｒｅｆｅｒｅｎｃｅ  ｂｅａｍ  ｐａｉｒ）とする。ＵＬ基準ビームペアは、無線機器により形成されることができる全てのＵＬビームペアに適用されることができる。または、ＵＬ基準ビームペアは、無線機器により形成されることができるＵＬビームペアグループ別に適用されることができる。
【００４２】
ＵＬ基準ビームペアは、下記のような方式により定めることができる。
【００４３】
（ｉ）基地局が無線機器にＵＬ基準ビームペアに対する情報をＲＲＣシグナリングなどを介して知らせる。
【００４４】
（ｉｉ）基地局がＤＣＩ（ＤＬ  ｃｏｎｔｒｏ  ｌｉｎｆｏｒｍａｔｉｏｎ）を介して複数のＵＬビームペアに対するｂＳＲＳ送信をトリガする時、前記ＤＣＩは、ＵＬ基準ビームペアに対する情報を含むことができる。
【００４５】
（ｉｉｉ）複数のＵＬビームペアのうち、現在（または、最も最近）ＵＬ送信などに使われているＵＬビームペアがＵＬ基準ビームペアに設定されることができる。
【００４６】
（ｉｖ）複数のＵＬビームペアのうち最も小さい（または、２番目に小さい）ｂＳＲＳ送信パワーに該当するＵＬビームペアがＵＬ基準ビームペアに設定されることができる。最も小さいｂＳＲＳ送信パワーを選択する基準として、ｂＳＲＳの最終送信パワーを決定する要素のうち一部が使われることができる。最も小さいｂＳＲＳ送信パワーを選択する基準としてｃｌｏｓｅｄ  ｌｏｏｐ  ｐｏｗｅｒ  ｃｏｎｔｒｏｌ  ｃｏｍｍａｎｄにより蓄積される（ａｃｃｕｍｕｌａｔｅ）送信パワーに該当する部分が使われることができる。
【００４７】
（ｖ）複数のＵＬビームペアのうち最も大きい（または、２番目に大きい）ｂＳＲＳ送信パワーに該当するＵＬビームペアがＵＬ基準ビームペアに設定されることができる。最も大きいｂＳＲＳ送信パワーを選択する基準としてｂＳＲＳの最終送信パワーを決定する要素のうち一部が使われることができる。最も大きいｂＳＲＳ送信パワーを選択する基準としてｃｌｏｓｅｄ  ｌｏｏｐ  ｐｏｗｅｒ  ｃｏｎｔｒｏｌ  ｃｏｍｍａｎｄにより蓄積される（ａｃｃｕｍｕｌａｔｅ）送信パワーに該当する部分が使われることができる。
【００４８】
前記方式（ｉ）〜（ｖ）において、ｂＳＲＳ（ｊ）を基準にしてｂＳＲＳ（ｉ）の送信パワーを設定するとは、ｂＳＲＳ（ｊ）の送信パワーをそのまま適用したり、ｂＳＲＳ（ｊ）にパワーオフセットを適用したり、ｂＳＲＳ（ｊ）に対してｃｌｏｓｅｄ  ｌｏｏｐ  ｐｏｗｅｒ  ｃｏｎｔｒｏｌ  ｃｏｍｍａｎｄを介して累積されたパワー値を適用したりすることを意味する。
【００４９】
ｂＳＲＳ（ｊ）の送信パワーは、複数のＵＬビームペアに対して必要な送信パワーの平均値に基づいて決定されることができる。
【００５０】
ｂＳＲＳ（ｊ）は、ＵＬ  ＢＰ（ｊ）に対してＳＲＳ／ＰＵＳＣＨを送信する時に必要な送信パワー値または前記送信パワー値に対するオフセットを意味する。
【００５１】
第２の実施例において、ビームペアに対応するｂＳＲＳ送信パワーが特定ＤＬビームに対応する経路損失（ｐａｔｈ  ｌｏｓｓ）を基準にして設定されることができる。
【００５２】
一般的に、ＵＬ  ＢＰ（ｉ）に適用される物理チャネルの送信パワーは、ＵＬ  ＢＰ（ｉ）のＵＬ経路損失を補償するパワー成分を含むことができる。無線機器がＵＬ経路損失を直接測定することは困難であるため、ＵＬ  ＢＰ（ｉ）に対応するＤＬビームペアを介して測定した経路損失値をＵＬ経路損失と見なすことができる。ＤＬビームペアに対する経路損失値は、各ＴＸビーム別に区分されるＤＬ基準信号に対するＲＸビームを介した受信パワーを測定することによって得ることができる。
【００５３】
ｂＳＲＳ（ｉ）の送信パワーを設定するためのＵＬ経路損失値は、ＤＬ基準ビームペア（または、無線機器のＲＸビームを別々に区分しない場合、ＤＬ基準ビーム）の経路損失値を基準にして決定されることができる。
【００５４】
前記ＤＬ基準ビームペアは、前記ＤＬ基準信号が送信される時間／周波数領域により区分されることができ、下記のような方式により定めることができる。
【００５５】
（ｉ）基地局が無線機器にＤＬ基準ビームペアに対する情報をＲＲＣシグナリングなどを介して知らせる。
【００５６】
（ｉｉ）基地局がＤＣＩを介して複数のＵＬビームペアに対するｂＳＲＳ送信をトリガする時、前記ＤＣＩは、ＤＬ基準ビームペアに対する情報を含むことができる。
【００５７】
（ｉｉｉ）複数のＵＬビームペアのうち、現在（または、最も最近に）ＵＬ送信などに使われているＵＬビームペアに対応するＤＬビームペアがＤＬ基準ビームペアに設定されることができる。
【００５８】
（ｉｖ）複数のＵＬビームペアのうち最も小さい（または、２番目に小さい）ｂＳＲＳ送信パワーに該当するＵＬビームペアに対応するＤＬビームペアがＤＬ基準ビームペアに設定されることができる。
【００５９】
（ｖ）複数のＵＬビームペアのうち最も大きい（または、２番目に大きい）ｂＳＲＳ送信パワーに該当するＵＬビームペアに対応するＤＬビームペアがＤＬ基準ビームペアに設定されることができる。
【００６０】
前記方式（ｉ）〜（ｖ）において、前記におけるｂＳＲＳ（ｉ）は、ｊ番目のビームペアＳＲＳまたはＰＵＳＣＨを送信する時に必要な送信パワー値や該当送信パワー値に対するオフセットを意味する。
【００６１】
より具体的に、ＳＲＳ送信区間（ｔｒａｎｓｍｉｓｓｉｏｎ  ｐｅｒｉｏｄ）ｑで、ＵＬ  ＢＰ（ｉ）に対応するｂＳＲＳ（ｉ）の送信パワーは、下記のように決定されることができる。ここで、ＳＲＳ送信区間は、スロットまたはサブフレームに対応できる。
【００６２】
【数１】
0006840868.tif 000002
【００６３】
ここで、ＰＣＭＡＸ（ｑ）はＳＲＳ送信区間ｑで無線機器に設定された最大送信パワー、Ｐｏｆｆｓｅｔ（ｉ）はＵＬ  ＢＰ（ｉ）に対して上位階層シグナリングにより設定されるパラメータ、ＭＳＲＳ（ｑ）はＳＲＳ送信区間ｑでＳＲＳ送信のために割り当てられる帯域幅、α（ｉ）はＵＬ  ＢＰ（ｉ）に対して上位階層シグナリングにより設定されるパラメータ、ＰＬ（ｉ）はＵＬ  ＢＰ（ｉ）に対して無線機器により計算されるＤＬ経路損失推定値、ｈ（ｑ）はＳＲＳ送信区間ｑで定義されるパラメータである。μは、ＳＲＳの副搬送波間隔が増加するにつれて増加する値である。前記数式において、ＵＬ  ＢＰ（ｉ）は、ＳＲＳ送信のために定義されるＳＲＳリソース集合ということもできる。
【００６４】
ＵＬビームペアは、ＤＬ受信信号の品質（例えば、ＳＩＮＲ）を最適化するＤＬ受信ビームの方向に対応するＵＬ送信ビームの関係に対応されることができる。送信ビームは、送信ｓｐａｔｉａｌフィルタパターンを意味し、受信ビームは、受信ｓｐａｔｉａｌフィルタパターンを意味する。無線機器の立場で、互いに異なるＤＬ送信ビームは、直接的に認識されるものではなく、互いに異なるＤＬ基準信号リソースを介して認識されることもできる。ＵＬ受信ビームは、基地局の具現によるものであって、無線機器に直接的に認識されない場合もある。
【００６５】
図４は、本発明の一実施例に係るパワーヘッドルームを報告する方法を示す。
【００６６】
ＰＨ（ｐｏｗｅｒ  ｈｅａｄｒｏｏｍ）は、基地局に無線機器の最大送信パワーとＵＬ送信のために推定されたパワーとの間の差に対する情報を提供するためである。ＰＨＲ（ｐｏｗｅｒ  ｈｅａｄｒｏｏｍ  ｒｅｐｏｒｔ）は、周期的にトリガリングされ、または基地局の指示によりトリガリングされることができる。
【００６７】
以下の数式は、送信区間ｑで無線機器がＰＨを計算する一例を示す。
【００６８】
【数２】
0006840868.tif 000003
【００６９】
ここで、ＰＣＭＡＸ（ｑ）は送信区間ｑで無線機器に設定された最大送信パワー、ＭＰＵＳＣＨ（ｑ）は送信区間ｑでＰＵＳＣＨ送信に割り当てられる帯域幅、ＰＯ＿ＰＵＳＣＨ（ｊ）とα（ｊ）はパラメータ、ＰＬ（ｉ）は無線機器により計算されるＤＬ経路損失推定値、△ＴＦ（ｑ）とｆ（ｑ）はパラメータである。
【００７０】
ＮＲでは、ＳＣ−ＦＤＭ  ＰＵＳＣＨ、ＯＦＤＭ  ＰＵＳＣＨ、シーケンスＰＵＣＣＨ、ＯＦＤＭ  ＰＵＣＣＨなど、多様な波形（ｗａｖｅｆｏｒｍ）を有するＵＬチャネルが送信されることができる。多様な波形を有するＵＬチャネルが送信される時、無線機器は、特定波形が送信されることを仮定してＰＨを計算することができる。
【００７１】
無線機器により送信されることができる複数の波形がある時、無線機器は、実際送信する波形にかかわらず、特定波形を送信することを仮定する時の送信パワーを基準にしてＰＨを計算することができる。例えば、無線機器が基地局のスケジューリングによってＳＣ−ＦＤＭ  ＰＵＳＣＨまたはＯＦＤＭ  ＰＵＳＣＨを送信しても、基準波形の送信を仮定してＰＣＭＡＸ（ｑ）を求めてＰＨを計算することができる。基準波形は、相対的により大きいＰＡＰＲ特性を有し、一層小さいＰＨ範囲を有するＯＦＤＭ  ＰＵＳＣＨである。または、基準波形は、一層大きいＰＨ範囲を有するＳＣ−ＦＤＭ  ＰＵＳＣＨである。基地局は、無線機器にＰＨ計算の基準となる基準波形に対する情報を提供することができる。
【００７２】
同様に、無線機器が基地局のスケジューリングによってシーケンスＰＵＣＣＨまたはＯＦＤＭ  ＰＵＣＣＨを送信しても、基準波形の送信を仮定してＰＨを計算することができる。基準波形は、相対的により大きいＰＡＰＲ特性を有し、より小さいＰＨ範囲を有するＯＦＤＭ  ＰＵＣＣＨである。または、基準波形は、より大きいＰＨ範囲を有するシーケンスＰＵＳＣＨである。基地局は、無線機器にＰＨ計算の基準となる基準波形に対する情報を提供することができる。
【００７３】
以下、互いに異なるＵＬビームペアに対するＰＨ報告に対して提案する。
【００７４】
基地局と無線機器との間に複数のＵＬビームペアを介してＵＬ送信が実行される時、無線機器は、各ＵＬビームペアに対して独立的にＰＵＳＣＨ／ＰＵＣＣＨに対するＰＨを報告することができる。無線機器は、任意のＰＵＳＣＨ送信に対するＰＨを報告する時に関連する一つまたはそれ以上のＵＬビームペアに対するＰＨを全て報告できる。
【００７５】
無線機器が常に複数のＵＬビームペアに対するＰＨを報告するようになると、ＰＨ報告のためのシグナリングオーバーヘッドが大きくなる。したがって、無線機器は、複数のＵＬビームペアのうち指定されたＵＬ基準ビームペアを仮定してＰＨを計算し、これを報告することができる。ＵＬ基準ビームペアは、下記のように設定されることができる。
【００７６】
（ｉ）基地局がＲＲＣシグナリングやＰＵＳＣＨをスケジュールするＤＣＩを介して設定。
【００７７】
（ｉｉ）無線機器がＰＵＳＣＨやＰＵＣＣＨ送信に使用するように指定されたＵＬビームペア。
【００７８】
（ｉｉｉ）複数のＵＬビームペアのうちＰＨ値が（２番目に）最小値であるＵＬビームペア。無線機器は、該当ＵＬビームペアのインデックスを基地局に報告できる。
【００７９】
（ｉｖ）複数のＵＬビームペアのうちＰＨ値が（２番目に）最大値であるＵＬビームペア。無線機器は、該当ＵＬビームペアのインデックスを基地局に報告できる。
【００８０】
（ｖ）無線機器が（該当キャリアまたはセルで）最後に送信し、または基地局からスケジュールを受けたＵＬビームペア
【００８１】
無線機器は、決まった周期または順序にＵＬ基準ビームペアを変えながらＰＨ値を計算し、報告できる。
【００８２】
ＵＬ基準ビームペアに対するＰＨを基準ＰＨと仮定する。無線機器は、前記基準ＰＨと他のＵＬビームペアに対するＰＨとの間の差を基地局に報告できる。
【００８３】
前記方式は、無線機器が実際ＰＵＣＣＨやＰＵＳＣＨを送信する場合だけでなく、任意のキャリアまたはシステムバンド内の特定バンドパートを介してＰＵＣＣＨやＰＵＳＣＨを送信しない場合、該当キャリアやバンドパートに対するＰＨＲを実行するときにも適用できる。
【００８４】
以下、送信区間でＰＵＳＣＨが複数のＰＵＣＣＨと同時に送信される場合にＰＨを計算する方法が提案される。
【００８５】
既存３ＧＰＰ  ＬＴＥでは、サブフレーム単位でＰＵＳＣＨ／ＰＵＣＣＨ送信がスケジューリングされて一つのサブフレームでのＰＵＳＣＨ／ＰＵＣＣＨ送信を仮定してＰＨを計算した。しかし、ＮＲでは、スロット単位または２〜３ＯＦＤＭシンボルでも送信可能なＬ−ＰＵＣＣＨとＳ−ＰＵＣＣＨが導入された。それによって、一つのサブフレームでもＰＵＳＣＨとＰＵＣＣＨが互いに異なるＯＦＤＭシンボルで送信されることができるため、互いに独立的なＰＨを計算する必要がある。
【００８６】
図５は、ＰＵＳＣＨと複数のＰＵＣＣＨの同時送信の一例を示す。
【００８７】
一つのスロット内の一つまたはそれ以上のＯＦＤＭシンボルでＰＵＳＣＨが送信される。そして、スロット内の互いに異なるＯＦＤＭシンボルでＰＵＣＣＨ１とＰＵＣＣＨ２が送信される。無線機器は、下記のうち少なくとも一つの方式によりＰＨを計算して報告できる。
【００８８】
（ｉ）ＰＵＳＣＨ送信と重複する全てのＰＵＣＣＨ送信に対して各々ＰＨを報告する。どのようなＰＵＣＣＨフォーマットに対するＰＨであるかを共に報告できる。
【００８９】
問い合わせ：ＰＵＳＣＨとＰＵＣＣＨ１の同時送信を考慮してＰＨ１計算。ＰＵＳＣＨとＰＵＣＣＨ２の同時送信を考慮してＰＨ２計算。ここで、ＰＨ１とＰＨ２を両方とも報告する。例えば、ＰＵＳＣＨとＰＵＣＣＨ１の同時送信を考慮してＰＨ１を計算し、ＰＵＳＣＨとＰＵＣＣＨ２の同時送信を考慮してＰＨ２を計算する。無線機器は、ＰＨ１とＰＨ２を両方とも報告する。
【００９０】
（ｉｉ）ＰＵＳＣＨ送信と重複するＰＵＣＣＨ送信のうち最も小さいＰＨを報告する。どのようなＰＵＣＣＨフォーマットに対するＰＨであるかを共に報告できる。例えば、ＰＨ１とＰＨ２のうち小さいＰＨが報告される。
【００９１】
（ｉｉｉ）ＰＵＳＣＨ送信と重複するＰＵＣＣＨ送信のうち最も大きいＰＨを報告する。どのようなＰＵＣＣＨフォーマットに対するＰＨであるかを共に報告できる。
【００９２】
（ｉｖ）ＰＵＳＣＨ送信と重複するＰＵＣＣＨ送信のうち時間的に最も前の（または、最も後の）ＰＵＣＣＨ送信を基準にしてＰＨを報告する。どのようなＰＵＣＣＨフォーマットに対するＰＨであるかを共に報告できる。例えば、ＰＨ１とＰＨ２のうち大きいＰＨが報告される。
【００９３】
（ｖ）ＰＵＣＣＨ送信を考慮しないＰＨのみを報告する。
【００９４】
（ｖｉ）あらかじめ指定された特定ＰＵＣＣＨフォーマットの送信を仮定したＰＨを報告する。
【００９５】
図６は、ＰＵＳＣＨと複数のＰＵＣＣＨの同時送信の他の例を示す。
【００９６】
これはＰＵＣＣＨ２送信がＰＵＣＣＨ１送信と一つまたはそれ以上のＯＦＤＭシンボルで重複する場合である。無線機器は、下記のうち少なくとも一つの方式によりＰＨを計算して報告できる。
【００９７】
（ｉ）ＰＵＳＣＨ送信と重複する全てのＰＵＣＣＨ送信を考慮したＰＨを報告する。どのようなＰＵＣＣＨフォーマットに対するＰＨであるかを共に報告できる。例えば、無線機器は、ＰＵＳＣＨとＰＵＣＣＨ１／ＰＵＣＣＨ１の全てを考慮して一つのＰＨを計算して報告する。
【００９８】
（ｉｉ）ＰＵＳＣＨ送信と重複するＰＵＣＣＨ送信のうち最も小さいＰＨを報告する。どのようなＰＵＣＣＨフォーマットに対するＰＨであるかを共に報告できる。
【００９９】
（ｉｉｉ）ＰＵＳＣＨ送信と重複するＰＵＣＣＨ送信のうち最も大きいＰＨを報告する。どのようなＰＵＣＣＨフォーマットに対するＰＨであるかを共に報告できる。
【０１００】
（ｉｖ）ＰＵＣＣＨ送信を考慮しないＰＨのみを報告する。
【０１０１】
（ｖ）あらかじめ指定された特定ＰＵＣＣＨフォーマットを仮定したＰＨを報告する。
【０１０２】
図５及び図６の実施例のように、ＰＵＣＣＨとＰＵＳＣＨの同時送信の類型によってＰＨを報告することもできるが、他の方式として、スロットを複数のシンボル区間に分け、各シンボル区間別にＰＨを報告することができる。具体的な例として、スロットを、Ｓ−ＰＵＣＣＨ（例えば、１または２シンボルＰＵＣＣＨ）が送信されることができる第１のシンボル区間と、Ｌ−ＰＵＣＣＨ（Ｓ−ＰＵＣＣＨより多いシンボルで送信されるＰＵＣＣＨ）が送信されることができる第２のシンボル区間と、に分け、各シンボル区間に対するＰＨを報告することができる。
【０１０３】
同じスロットでＰＵＳＣＨとＰＵＣＣＨが互いに異なるＯＦＤＭシンボルを介して送信される場合、無線機器は、ＰＵＣＣＨとＰＵＳＣＨと同じＯＦＤＭシンボルで送信されると仮定してＰＨを計算して報告できる。
【０１０４】
図７は、互いに異なるＵＬスケジューリングタイミングでのＰＨ報告のための例を示す。
【０１０５】
複数のセル間（または、複数のキャリア間、または複数のバンドパート間）に互いに異なる副搬送波間隔（ｓｕｂｃａｒｒｉｅｒ  ｓｐａｃｉｎｇ）または互いに異なるスロット長さが適用されることができる。この場合、複数のセル間のＵＬスケジューリングタイミングが変わることができる。セル間の互いに異なるＵＬスケジューリングタイミングによりＰＨ計算が曖昧になる。
【０１０６】
例えば、セル１は１５ｋＨｚの副搬送波間隔を有し、セル２は３０ｋＨｚの副搬送波間隔を有すると仮定する。セル１のＯＦＤＭシンボル長さはセル２のＯＦＤＭシンボル長さの２倍になり、サブフレーム長さも２倍になる。セル１のＳＦ（ｓｕｂｆｒａｍｅ）＃ｎ−３で第１のＵＬスケジューリングを受信した無線機器は、セル１のＳＦ＃ｎで前記第１のＵＬスケジューリングによる第１のＰＵＳＣＨを送信する。セル２のＳＦ＃ｍ−３で第２のＵＬスケジューリングを受信した無線機器は、セル２のＳＦ＃ｍで前記第２のＵＬスケジューリングによる第２のＰＵＳＣＨを送信する。無線機器がセル１のＳＦ＃ｎでＰＨを計算する時、セル２の第２のＰＵＳＣＨ送信を考慮しにくい。無線機器は、ＳＦ＃ｎ−３以後新しいＰＵＳＣＨ送信がスケジュールされると、ＰＨ計算のためのプロセシング時間が足りないためである。
【０１０７】
または、二つのキャリア間のＵＬスロットの長さが同じ場合にも、同じスロットに対する二つのキャリアのＵＬ送信に対するスケジューリング時点が異なって、該当スロットで一キャリアのためのＰＨに他のキャリアを介したＵＬ送信を反映しにくい。
【０１０８】
互いに異なるスロット長さとは、スロット内に含まれるＯＦＤＭシンボルの個数が変わることを含むことができる。二つのセルのスロット長さが異なって、一セルの一スロットに他のセルの複数のスロットが重複することができる。
【０１０９】
したがって、第１のＰＵＳＣＨがスケジューリングされた時点以後（または、第１のＰＵＳＣＨを送信する時点より特定時間以前時点）にスケジューリングされた第２のＰＵＳＣＨ送信は、ＰＨ計算から除外できる。または、第１のＰＵＳＣＨがスケジューリングされた時点以後（または、第１のＰＵＳＣＨを送信する時点より特定時間以前時点）にスケジューリングされた第２のＰＵＳＣＨ送信は、実際スケジューリングされた第２のＰＵＳＣＨ送信でないあらかじめ指定されたフォーマットのＰＵＳＣＨ送信と仮定してＰＨを計算することができる。例えば、ＰＨが報告される第１のＰＵＳＣＨのセル１に設定されたＵＬグラント−ｔｏ−ＰＵＳＣＨタイミング値を３ＳＦと仮定する。無線機器は、ＳＦ＃ｎで送信される第１のＰＵＳＣＨのＰＨを計算する時、ＳＦ＃ｎ−３以後にスケジューリングされる他のＰＵＳＣＨ送信を無視することができる。
【０１１０】
また、セル間の互いに異なるスロット長さによってＰＨＲを含むＰＵＳＣＨが送信されるスロットが、他のセルの複数個のスロットと重なる場合（図７の例において、セル１のＳＦ＃ｎにセル２のＳＦ＃ｍとＳＦ＃ｍ＋１が重複し、セル１のＳＦ＃ｎで送信されるＰＵＳＣＨにＰＨＲを報告する場合）、下記のうち少なくとも一つの方式によりＰＨを計算して報告することを提案する。
【０１１１】
（ｉ）ＰＨを報告するセル１のスロット（または、サブフレーム）と重複するセル２の複数のスロットに対して全てＰＨを計算する。
【０１１２】
（ｉｉ）ＰＨを報告するセル１のスロットと重複するセル２の複数のスロットのうちＰＵＳＣＨ（または、その他のＵＬ信号）が送信されるスロット（ら）に対してのみＰＨを計算する。
【０１１３】
（ｉｉｉ）ＰＨを報告するセル１のスロットに重なるセル２の複数のスロットのうちＰＵＳＣＨ（または、その他のＵＬ信号）が送信されるスロット（ら）に対してのみＰＨを計算する。残りのスロットに対してはセル２で信号を送信しない場合を考慮したＰＨのみを計算し、報告する。
【０１１４】
（ｉｖ）ＰＨを報告するセル１のスロットに重なるセル２の複数のスロットのうち特定スロット（例えば、最初のスロット、最後のスロット、最初から２番目のスロット、最後から２番目のスロット）に対してのみＰＨを計算する。
【０１１５】
（ｖ）セル１で送信される第１のＰＵＳＣＨを介してセル２に対するＰＨを報告する時、セル１の第１のＰＵＳＣＨが送信されるｎ番目のＯＦＤＭシンボル（例えば、ｎ＝１）と重複するセル２のスロットに対するＰＨを計算する。または、ｎ−ｒ１番目のＯＦＤＭシンボルとｎ＋ｒ２番目のＯＦＤＭシンボルと重複するセル２のスロットに対するＰＨを計算する。ｒ１、ｒ２＞＝０である整数。
【０１１６】
（ｖｉ）前記方式（ｉ）〜（ｖ）のうち複数の方式が優先順位によって適用されることができる。例えば、方式（ｉｉ）を適用する時にセル２の複数のスロットを介してＰＵＳＣＨが送信される場合、方式（ｉｖ）方式（ｖ）を適用して複数のスロットのうち一スロットを選択することができる。
【０１１７】
前記方式は、セル２で送信されるＰＵＳＣＨに対するＰＨだけでなく、ＰＵＣＣＨ／ＳＲＳ等、他の物理チャネルが送信される場合のＰＨ報告にも適用されることができる。
【０１１８】
前記方式は、セル１とセル２のスロット長さが異なって、セル１のスロット区間内でセル２の物理チャネルの送信可能区間が複数個に分けられる場合だけでなく、セル２の一スロット内で互いに異なるシンボルを介して複数の物理チャネルが送信される場合にも、セル２に送信されるどの物理チャネルに対するＰＨを報告するかを決定するときに適用できる。即ち、前記セル２の複数のスロットをセル２で送信される複数の物理チャネルに変えて適用できる。
【０１１９】
前記はセル１とセル２を対象にしているが、キャリア１とキャリア２またはバンドパート１とバンドパート２でのＰＨ計算にも適用できる。
【０１２０】
以下、セル間またはキャリア間のＴＡ（Ｔｉｍｉｎｇ  ａｄｖａｎｃｅ）を考慮したＰＨ報告に対して提案する。
【０１２１】
図８は、セル間のＴＡ適用可否によるＰＨ計算の例を示す。
【０１２２】
セル１とセル２に互いに異なるＴＡが適用される場合、セル１のＳＦと重複するセル２のＳＦは、ＴＡの適用可否によって変わることができる。図８に示すように、セル１のＳＦ＃ｎに重複するセル２のＳＦがＴＡ適用可否によって変わることができる。セル２にＴＡが適用されない場合、セル１のＳＦ＃ｎにセル２のＳＦ＃ｍ、ＳＦ＃ｍ＋１が重複する。セル２にＴＡが適用される場合、セル１のＳＦ＃ｎにセル２のＳＦ＃ｍ＋１とＳＦ＃ｍ＋２がＳＦ＃ｍより大きい割合で重複する。この場合、ＰＨ報告にどのＳＦを反映するかが曖昧になる。したがって、下記のうち少なくとも一つの方式を適用することができる。
【０１２３】
（ｉ）互いに異なるセル間にＳＦ境界（または、スロット境界）がずれ、セル１のＳＦ＃ｎを介して報告するＰＨがセル２を介したＵＬ送信を考慮する時、セル１のＳＦ＃ｎと重複するセル２のＳＦのうち最も大きい割合で重複するＳＦでの送信のみを考慮してＰＨを計算する。
【０１２４】
（ｉｉ）互いに異なるセル間にＴＡを適用しない場合を仮定した時に重複する全てのＳＦでの送信を考慮してＰＨを計算する。図８の例において、セル１のＳＦ＃ｎとセル２のＳＦ＃ｍ、ＳＦ＃ｍ＋１の送信を全て考慮してＰＨを計算して報告する。
【０１２５】
（ｉｉｉ）互いに異なるセル間にＴＡを適用した時に一定比率より大きく重複するＳＦに対する送信を考慮してＰＨを計算する。図８の例において、セル１のＳＦ＃ｎ、セル２のＳＦ＃ｍ＋１、ＳＦ＃ｍ＋２の送信を考慮してＰＨを計算して報告する。
【０１２６】
セル１のスロット＃ｎで送信されるＰＵＳＣＨにＰＨを報告する場合、前記スロット＃ｎと重複するセル２のスロットに前述した図７の実施例に係るＰＨ計算が適用されることができる。
【０１２７】
以下、非免許帯域（ｕｎｌｉｃｅｎｓｅｄ  ｂａｎｄ）でのＳＰＳ（ｓｅｍｉ−ｐｅｒｓｉｓｔｅｎｔ  ｓｃｈｅｄｕｌｉｎｇ）送信によるＰＨ報告に対して提案する。
【０１２８】
非免許帯域は、多様な通信プロトコルが共存し、共有使用（ｓｈａｒｅｄ  ｕｓｅ）を保障する帯域である。非免許帯域は、ＷＬＡＮ（ｗｉｒｅｌｅｓｓ  ｌｏｃａｌ  ａｒｅａ  ｎｅｔｗｏｒｋ）が使用する２．５ＧＨｚ及び／または５ＧＨｚ帯域を含むことができる。非免許帯域で動作するセルは、非免許セルまたはＬＡＡ（Ｌｉｃｅｎｓｅｄ−Ａｓｓｉｓｔｅｄ  Ａｃｃｅｓｓ）セルともいう。ＬＡＡセルは、一般的に１次セル（ｐｒｉｍａｒｙ  ｃｅｌｌ）により活性化される２次セルであるため、ＬＡＡ  ＳＣｅｌｌともいう。基本的に非免許帯域では、各通信ノード間の競争を介したチャネル確保を仮定する。したがって、非免許帯域での通信は、チャネルセンシングを実行して他の通信ノードが信号送信をしないことを確認することを要求している。これを便宜上ＬＢＴ（ｌｉｓｔｅｎ  ｂｅｆｏｒｅ  ｔａｌｋ）といい、他の通信ノードが信号送信をしないと判断した場合をＣＣＡ（ｃｌｅａｒ  ｃｈａｎｎｅｌ  ａｓｓｅｓｓｍｅｎｔ）が確認されたと定義する。
【０１２９】
一般的なＰＵＳＣＨ送信は、基地局の動的スケジューリングによって非周期的に実行される。ＳＰＳ送信は、ＰＵＳＣＨを送信する周期的な時間／周波数リソース（これをＳＰＳリソースという）をあらかじめ設定した後、別途のシグナリング無しで無線機器がＰＵＳＣＨを周期的に送信すること意味する。無線機器は、ＳＰＳ送信周期で送信するＵＬデータがある場合、ＳＰＳリソースを介してＰＵＳＣＨを送信する。無線機器は、ＳＰＳ送信周期で送信するＵＬデータがない場合、ＰＵＳＣＨを送信しない。
【０１３０】
非免許セルでのＳＰＳ送信もＬＢＴ（ｌｉｓｔｅｎ−ｂｅｆｏｒｅ−ｔａｌｋ）を適用する。したがって、ＳＰＳ送信周期に無線機器が送信するＵＬデータを有しても、他のノードが無線チャネルを占有している場合、ＰＵＳＣＨを送信することができない。このとき、該当ＳＰＳリソースを介して送信しようとするＰＵＳＣＨをＳＰＳ  ＰＵＳＣＨと仮定する。セル１は免許帯域で動作する免許セルであり、セル２は非免許セルであると仮定する。セル１のＳＦ＃ｎで送信されるＰＵＳＣＨを介してＰＨを報告するとする時、セル２のＳＦ＃ｎでＳＰＳ  ＰＵＳＣＨも共に考慮しなければならない。セル２のＳＦ＃ｎでのＬＢＴ結果によってＳＰＳ  ＰＵＳＣＨの送信可否が決定されるため、ＳＦ＃ｎでセル１のＰＵＳＣＨ送信とセル２のＳＰＳ  ＰＵＳＣＨ送信を共に考慮してＰＨを計算しにくい。したがって、下記のような方式を提案する。
【０１３１】
（ｉ）無線機器は、セル２のＳＰＳ  ＰＵＳＣＨが実際送信されるかどうかにかかわらず、ＳＰＳ  ＰＵＳＣＨは常に送信しないと仮定してＰＨを計算する。
【０１３２】
（ｉｉ）無線機器は、セル２のＳＰＳ  ＰＵＳＣＨが送信されるかどうかにかかわらず、ＳＰＳ  ＰＵＳＣＨが常に送信されると仮定してＰＨを計算する。
【０１３３】
（ｉｉｉ）無線機器は、セル２のＳＰＳ  ＰＵＳＣＨが送信されるかどうかにかかわらず、あらかじめ指定されたフォーマットのＰＵＳＣＨが送信されると仮定してＰＨを計算する。もし、ＳＰＳリソースを介して使用可能なＲＢ数／配置、ＭＣＳ（ｍｏｄｕｌａｔｉｏｎ  ａｎｄ  ｃｏｄｉｎｇ  ｓｃｈｅｍｅ）などがあらかじめ決まる場合、無線機器は、該当パラメータを仮定してＰＨを計算することができる。
【０１３４】
一方、ＮＲシステムでは、ＰＵＳＣＨ送信のための波形としてＳＣ−ＦＤＭ方式やＯＦＤＭ方式を使用することができ、これをＳＣ−ＦＤＭ  ＰＵＳＣＨまたはＯＦＤＭ  ＰＵＳＣＨという。複数の波形に対する複数のＰＨを報告するためには、代表ＰＨとＰＨオフセットを報告することがシグナリングオーバーヘッドを減らすことができる。ＳＣ−ＦＤＭ  ＰＵＳＣＨのためのＰＨ１とＯＦＤＭ  ＰＵＳＣＨのためのＰＨ２がある時、ＰＨ１とＰＨ２のうちいずれか一つを代表ＰＨとして選択し、選択されたＰＨと残りのＰＨとの差を示すＰＨオフセットを計算することができる。代表ＰＨを選択する基準には制限がないが、実際送信される波形に対するＰＨを代表ＰＨとして選択できる。
【０１３５】
複数の波形に対する複数の最大送信パワーを報告する時も、選択された波形に対する代表最大送信パワーとパワーオフセットを報告することができる。最大送信パワーは、無線機器がＵＥが該当波形の送信に使用することができる最大パワーを意味する。
【０１３６】
ＰＨオフセット（及び／または、パワーオフセット）は、代表ＰＨと共に報告し、または代表ＰＨより遅い周期に報告できる。以前に報告したＰＨオフセットと現在ＰＨオフセットとの差が一定値より大きい場合、ＰＨオフセットを報告することができる。最後に報告したＰＨオフセット以後一定時間が経過すると、ＰＨオフセットを報告することができる。ＰＵＳＣＨ送信に使われたＭＣＳが以前に報告したＰＵＳＣＨに使われたＭＣＳに比べて一定水準以上異なる場合、ＰＨオフセットを報告することができる。無線機器は、ＰＵＳＣＨ送信に必要なＲＲＣ設定を確立／再設定する間にＰＨオフセットを報告することができる。
【０１３７】
互いに異なる波形を送信するときに要求されるパワーバックオフ値は、ＰＵＳＣＨスケジューリングによる影響が少ないため、無線機器は、互いに異なる波形を送信するときに要求されるパワーバックオフ値または二つの波形間のパワーバックオフオフセット値を基地局に知らせることができる。パワーバックオフオフセット値を計算する基準環境（例えば、ＰＵＳＣＨ帯域幅、ＰＵＳＣＨ  ＲＢ割当、ＭＣＳ等）は、あらかじめ指定されることができる。無線機器は、互いに異なる基準環境に対するパワーバックオフオフセット値を報告することができる。
【０１３８】
ＯＦＤＭ  ＰＵＳＣＨ送信は、ＳＣ−ＦＤＭ  ＰＵＳＣＨ送信に比べてセル間干渉（ｉｎｔｅｒ−ｃｅｌｌ  ｉｎｔｅｒｆｅｒｅｎｃｅ）またはセル内干渉（ｉｎｔｒａ−ｃｅｌｌ  ｉｎｔｅｒｆｅｒｅｎｃｅ）が一層大きい。したがって、無線機器の最大送信パワーを制限するために設定するＰＣＭＡＸ値は、各波形毎に独立的に設定されることができる。一波形に対するＰＣＭＡＸ値は、他の波形に対するＰＣＭＡＸ値のオフセットに設定されることができる。ＳＣ−ＦＤＭ  ＰＵＳＣＨのＰＣＭＡＸは、ＯＦＤＭ  ＰＵＳＣＨのＰＣＭＡＸより大きく設定されることができる。
【０１３９】
ＯＦＤＭ  ＰＵＳＣＨ送信でコード率（ｃｏｄｅ  ｒａｔｅ）や変調次数（ｍｏｄｕｌａｔｉｏｎ  ｏｒｄｅｒ）によってターゲットＢＬＥＲ（Ｂｌｏｃｋ  Ｅｒｒｏｒ  Ｒａｔｅ）を合わせるために要求されるＲＳ（ｒｅｆｅｒｅｎｃｅ  ｓｉｇｎａｌ）とＵＬデータは、互いに異なる送信パワーが適用されることができる。また、ＵＣＩ（ｕｐｌｉｎｋ  ｃｏｎｔｒｏｌ  ｉｎｆｏｒｍａｔｉｏｎ）とＵＬデータが共にＰＵＳＣＨ上に送信される時、ＵＣＩとＵＬデータは、互いに異なる送信パワーが要求されることができる。第１の実施例において、ＲＳとＵＬデータとの間の送信パワー差は、コード率及び変調次数の組み合わせに基づいて決定されることができる。コード率が小さいまたは変調次数が大きいほど、ＲＳ送信パワーがＵＬデータの送信パワーより大きく設定されることができる。第２の実施例において、ＰＵＳＣＨをスケジューリングするＤＣＩは、ＲＳとＵＬデータとの間の送信パワー差を指示し、または送信パワー差を計算することができるパラメータを含むことができる。第３の実施例において、ＵＣＩとＵＬデータとの間の送信パワー差は、データコード率とＵＣＩコード率の組み合わせに基づいて決定されることができる。データコード率がＵＣＩコード率より小さいほど、ＵＣＩ送信パワーがデータ送信パワーより大きく設定されることができる。第４の実施例において、ＰＵＳＣＨをスケジュールするＤＣＩは、ＵＣＩとＵＬデータとの間の送信パワー差を指示し、または送信パワー差を計算することができるパラメータを含むことができる。
【０１４０】
以下、無線機器の接続帯域によるパワー制御に対して記述する。
【０１４１】
ＮＲシステムでは、基地局が広いシステム周波数帯域をカバーし、無線機器は、システム周波数帯域のうち一部帯域でのみ動作するように設定されることができる。一部帯域をバンドパートまたはＢＷＰ（ｂａｎｄｗｉｄｔｈ  ｐａｒｔ）という。基地局は、システム帯域内に複数のＢＷＰの各々でＤＬ同期信号（ｓｙｎｃｈｒｏｎｉｚａｔｉｏｎ  ｓｉｇｎａｌ）とシステム情報を伝送するＢＣＨ（ｂｒｏａｄｃａｓｔ  ｃｈａｎｎｅｌ）を送信することができる。同期信号が送信されるＢＷＰであるとしても、無線機器が基地局に接続するために必要な全てのシステム情報を提供しないこともある。便宜上、このようなＢＷＰをｎｏｎ−ａｃｃｅｓｓｉｂｌｅ  ＢＷＰという。同期信号と全てのシステム情報を送信するＢＷＰをａｃｃｅｓｓｉｂｌｅ  ＢＷＰという。無線機器は、ａｃｃｅｓｓｉｂｌｅ  ＢＷＰを介してＤＬ同期を取得した後、ｎｏｎ−ａｃｃｅｓｓｉｂｌｅ  ＢＷＰのＢＣＨ上にシステム情報によってａｃｃｅｓｓｉｂｌｅ  ＢＷＰに周波数帯域を移して残りのシステム情報を読み取り、基地局との連結を確立することができる。
【０１４２】
ＢＷＰは、別途の物理的セルＩＤが付与されなく、一回に一つのＢＷＰでのみＤＬ／ＵＬ通信をすることができるようにＤＣＩを介して動的にスイッチングできる。一つのセルで複数のＢＷＰを導入した技術的な理由は、無線機器のサービス別に互いに異なるｎｕｍｅｒｏｌｏｇｙ（例えば、副搬送波間隔、ＯＦＤＭシンボル長さ等）、ＨＡＲＱ遅延、パワー制御などを設定することができるようにすることで、毎瞬間要求されるサービスによって他のＢＷＰを介してデータをスケジュールするためである。また、基地局は、帯域幅を異なるようにした複数のＢＷＰを無線機器に設定し、トラフィック量によって多様なＢＷＰで無線機器と通信できてパワーセービングと周波数効率を向上させることができる。ＢＷＰ別に互いに異なるビームを設定し、ＢＷＰをスイッチングしながら自然にビームをスイッチングする用途も考慮することができる。
【０１４３】
ＢＷＰ別に独立的にＵＬパワー制御が適用されることができる。ＢＷＰ別に独立的なＵＬパワー制御パラメータが設定され、及び独立的なｃｌｏｓｅｄ−ｌｏｏｐ  ＵＬパワー制御が適用されることができる。
【０１４４】
各ＢＷＰ別に隣接セルに及ぼす干渉量を調節し、またはＵＬ信号を受信するための品質ターゲットを調整する必要がある。基地局は、ＵＬパワー制御パラメータをＢＷＰ別に設定できる。ＵＬパワー制御パラメータは、各物理チャネル（例えば、ＰＵＳＣＨ、ＰＵＣＣＨ、ＳＲＳ）の送信パワーオフセット値及び許容される最大送信パワー（ＰＣＭＡＸ）のうち少なくとも一つを含むことができる。ＵＬパワー制御パラメータに対する情報は、ブロードキャストされ、または機器−特定的シグナリングを介して伝達されることができる。
【０１４５】
基本ＢＷＰに対する基本ＵＬパワー制御パラメータ値が設定され、残りのＢＷＰに対しては基本ＵＬパワー制御パラメータに対するオフセット形式に設定されることができる。または、ＢＷＰにかかわらず基本ＵＬパワー制御パラメータが設定され、残りのＢＷＰに対しては基本ＵＬパワー制御パラメータに対するオフセット形式に設定されることができる。
【０１４６】
ＢＷＰ間の高速フェーディング（ｆａｓｔ  ｆａｄｉｎｇ）を補償するために、基地局は、ＢＷＰ別に独立的なｃｌｏｓｅｄ  ｌｏｏｐ  ｐｏｗｅｒ  ｃｏｎｔｒｏｌ  ｃｏｍｍａｎｄを送り、それによって、無線機器は、各ＢＷＰ別に独立的な送信パワーを調整することができる。
【０１４７】
ＢＷＰ別にＰＣＭＡＸが独立的に設定されることができる。無線機器は、各ＢＷＰ毎にＰＨ及びＰＣＭＡＸを報告することができる。無線機器は、基本ＢＷＰに対する基本ＰＨ及び基本ＰＣＭＡＸを報告し、残りのＢＷＰに対してはＰＨ及びＰＣＭＡＸに対するオフセット値を報告することができる。
【０１４８】
無線機器に複数のサービングセル（または、複数のキャリア）が設定され、各サービングセルが複数のＢＷＰを提供することができる。送信区間ｑでＰＣＭＡＸ、ｃがサービングセルｃに与えられ、サービングセルｃ内のＢＷＰ  ｉにＰＣＭＡＸ、ｃ、ｉが与えられることができる。送信区間ｑで無線機器のＵＬ送信パワーは、ＢＷＰ  ｉに対してはＰＣＭＡＸ、ｃ、ｉを超えないように調整され、サービングセルｃ内のＢＷＰの総ＵＬ送信パワーがＰＣＭＡＸ、ｃを超えないように調整される。無線機器は、全てのサービングセルで同時に総ＵＬ送信パワーがＰＣＭＡＸ、ｔｏｔａｌを超えないように調整することができる。ＰＣＭＡＸ、ｔｏｔａｌは、基地局により設定され、または無線機器の最大送信パワー力量（ｃａｐａｂｉｌｉｔｙ）により定義されることができる。
【０１４９】
複数のＢＷＰで同時に送信する複数のＵＬチャネルの総送信パワーを考慮し、複数のＵＬチャネルのうちいずれか一つの優先順位によって一層低い送信パワーを使用し、または複数のＵＬチャネルのうちいずれか一つの送信を優先順位によってあきらめることができる。ＢＷＰ別に優先順位が指定されることができる。無線機器は、高い優先順位を有するＢＷＰより低い優先順位を有するＢＷＰでＵＬチャネルの送信パワーを優先的に減らし、または送信をあきらめることができる。前記優先順位は、基地局がＲＲＣシグナリングなどを介して指定し、またはＢＷＰの属性（例えば、帯域幅、副搬送波間隔、シンボル区間等）によって定義されることができる。
【０１５０】
数式１と数式２に示すように、ＰＬ（ｉ）は、無線機器により計算されるＤＬ経路損失推定値であって、ＰＨとＵＬ送信パワーを計算するときに使われるパラメータである。無線機器がＢＷＰを介してＵＬ送信をする時に基地局へのＵＬ経路損失補償を定めるためにＤＬ経路損失を測定し、これをＵＬ経路損失に相当すると仮定することができる。無線機器は、基準ＢＷＰを介して送信される同期信号またはＲＳを介してＤＬ  ＲＳＲＰ（Ｒｅｆｅｒｅｎｃｅ  Ｓｉｇｎａｌｓ  Ｒｅｃｅｉｖｅｄ  Ｐｏｗｅｒ）を測定し、測定されたＤＬ  ＲＳＲＰと同期信号／ＲＳの送信パワーを比較してＤＬ経路損失を測定することができる。無線機器に設定された複数のＢＷＰのうちＤＬ経路損失を測定する基準ＢＷＰは、下記のように定めることができる。
【０１５１】
（ｉ）基地局がＲＲＣシグナリングを介して基準ＢＷＰを指定することができる。
【０１５２】
（ｉｉ）データ通信のために無線機器に割り当てられたＢＷＰのうち一つを無線機器が基準ＢＷＰとして指定できる。
【０１５３】
（ｉｉｉ）データ通信のために、ｎｏｎ−ａｃｃｅｓｓｉｂｌｅ  ＢＷＰが割り当てられると、無線機器は、ａｃｃｅｓｓｉｂｌｅ  ＢＷＰを基準ＢＷＰとして指定できる。Ａｃｃｅｓｓｉｂｌｅ  ＢＷＰは、基地局により指定され、またはあらかじめ決まった規則により定められる。例えば、ｎｏｎ−ａｃｃｅｓｓｉｂｌｅ  ＢＷＰと最も近いａｃｃｅｓｓｉｂｌｅ  ＢＷＰが指定されることができる。
【０１５４】
ＤＬ経路損失測定のための基準ＢＷＰは、データ通信のためのＢＷＰと独立的に指定されることができる。基準ＢＷＰは、ＤＬ経路損失測定に使用することができる同期信号またはＲＳが送信される周波数バンドまたは中心周波数を意味する。
【０１５５】
図９は、本発明の一実施例に係る送信パワー制御方法を示す。
【０１５６】
ステップＳ９１０において、無線機器は、ＵＬチャネル（ＰＵＳＣＨ／ＰＵＣＣＨ／ＳＲＳ）の送信パワーを調節するためのＴＰＣ（ｔｒａｎｓｍｉｔ  ｐｏｗｅｒ  ｃｏｍｍａｎｄ）を受信する。ステップＳ９２０において、無線機器は、受信されたＴＰＣを適用してＵＬ送信パワーを制御する。
【０１５７】
ＴＰＣは、ＵＬチャネルをスケジューリングするＤＣＩまたは複数の無線機器（または、複数のＵＬチャネル）送信のためのＴＰＣ専用のＤＣＩに含まれることができる。ＤＣＩは、ＴＰＣと共にＵＬチャネルが実際送信されるタイミングに対する遅延（ｄｅｌａｙ）フィールドをさらに含むことができる。
【０１５８】
図１０は、遅延フィールドを有するＵＬチャネルスケジューリングの一例を示す。スロットｎでスケジューリングＤＣＩが受信されると、スロットｎ＋ＫでスケジューリングされたＵＬチャネルが送信される。前記ＤＣＩ内の遅延フィールドは、Ｋと関連する情報を含む。Ｋは、ＵＬチャネルが送信されることができる最小遅延を示すだけで、必ずスロットｎ＋ＫでＵＬチャネルが送信されるものではない。Ｋがスロット単位であることは例示に過ぎず、サブフレーム単位またはＯＦＤＭシンボル単位またはサブ−スロット単位であってもよい。
【０１５９】
図１１は、遅延フィールドを有するＵＬフィードバックの一例を示す。スロットｎで受信されるＤＣＩがスロットｎ＋Ｋ１でのＰＤＳＣＨ受信をトリガする。スロットｎ＋Ｋ１＋Ｋで該当ＰＤＳＣＨに対応するＨＡＲＱフィードバック（例えば、ＡＣＫ／ＮＡＣＫ）がトリガされる。スロットｎの前記ＤＣＩ内の前記遅延フィールドは、Ｋと関連する情報を含むことができる。Ｋは、フィードバックが送信されることができる最小遅延を示すだけで、必ずスロットｎ＋Ｋでフィードバックが送信されるものではない。Ｋがスロット単位であることは例示に過ぎず、サブフレーム単位またはＯＦＤＭシンボル単位またはサブ−スロット単位であってもよい。
【０１６０】
一実施例において、遅延フィールドにより指定されることができるＫ値の範囲がＫｍｉｎからＫｍａｘと仮定する。無線機器は、スロットｎでＴＰＣを有するＤＣＩを受信すると、スロットｎ＋Ｋｍｉｎまたはスロットｎ＋ＫｍａｘからＴＰＣを適用することができる。スロットｎでＴＰＣを有するＤＣＩを受信すると、前記ＴＰＣは、スロットｎ＋Ｋ（Ｋｍｉｎ＜＝Ｋ＜＝Ｋｍａｘ）からまたはスロットｎ＋Ｋ以後から適用されることができる。前記ＤＣＩは、遅延フィールドを追加的に含むこともでき、単にＴＰＣのみを含むこともできる。もし、複数の遅延フィールドが与えられる場合、複数のＫ値のうち最小値または最大値からＴＰＣが適用されることができる。もし、複数の遅延フィールドが与えられる場合、複数のＫ値のうち最小値＋オフセットまたは最大値＋オフセットからＴＰＣが適用されることができる。前記オフセットは、１と同じ、または大きい。
【０１６１】
他の実施例において、スロットｎでＴＰＣを有するＤＣＩを受信すると、前記ＴＰＣは、スロットｎ＋Ｋｎｍ１から適用されることができる。Ｋｎｍ１は、固定された値である。Ｋｎｍ１は、セル内の全ての無線機器に共通的な値であり、または各無線機器に与えられる値である。この動作は、前記ＤＣＩが遅延フィールドを含まない場合にのみ適用されることができる。
【０１６２】
他の実施例において、ＴＰＣを有するＤＣＩをスロットｎで受信すると、前記ＴＰＣは、スロットｎ＋Ｋｎｍ２から適用されることができる。Ｋｎｍ２は、無線機器の力量によって与えられる値である。Ｋｎｍ２は、無線機器の力量によって前記ＤＣＩを受信したスロットからスケジューリングされたＵＬチャネルを送信することができる最小時間または最大時間に対応する値である。Ｋｎｍ２は、最小時間＋オフセットまたは最大時間＋オフセットである。前記オフセットは、１と同じ、または大きい。この動作は、前記ＤＣＩが遅延フィールドを含まない場合にのみ適用されることができる。
【０１６３】
前記提案において、Ｋ、Ｋｍｉｎ、Ｋｍａｘ、Ｋｎｍ１、Ｋｎｍ２の値は、任意の時間単位で表現されることができ、例えば、ＯＦＤＭシンボル単位またはスロット単位である。ＰＤＣＣＨ（または、ＰＤＳＣＨ）を受信するタイミングｎもスロット単位でなく、任意の時間単位で表現されることができ、例えば、ＰＤＣＣＨ（または、ＰＤＳＣＨ）を受信した最後のＯＦＤＭシンボルになる。
【０１６４】
以下、ＴＰＣ送信のためのＤＣＩフォーマットが提案される。
【０１６５】
ＰＵＳＣＨ／ＰＵＣＣ／ＳＲＳ送信に対して互いに異なるビームや互いに異なるサービスなどに対して独立的なパワー制御を適用するために、複数の独立的なＣＬ−ＰＣ（ｃｌｏｓｅｄ  ｌｏｏｐ  ｐｏｗｅｒ  ｃｏｎｔｒｏｌ）プロセスが設定されることができる。また、一つまたはそれ以上の無線機器のためのＴＰＣを送信するためのグループＴＰＣ  ＤＣＩが定義されることができる。
【０１６６】
一つのＣＬ−ＰＣプロセスのためのＴＰＣがｍビットを有し、グループＴＰＣ  ＤＣＩのペイロードがＮ＊ｍビットを有すると仮定する。したがって、グループＴＰＣ  ＤＣＩは、Ｎ  ＴＰＣフィールドを有する。基地局は、無線機器にＮ個のＴＰＣフィールドのうち前記無線機器のＴＰＣを有するＴＰＣフィールドの位置をＲＲＣシグナリングなどで知らせることができる。
【０１６７】
複数のＣＬ−ＰＣプロセスのための複合（ｍｉｘｅｄ）ＴＰＣのためのＴＰＣフィールドは、ｎ（ｎ＞＝ｍ）ビットを有すると仮定する。例えば、複合ＴＰＣは、ＴＰＣ及び前記ＴＰＣが適用されるＣＬ−ＰＣプロセスに対する情報を含むことができる。もし、ｎがｍの倍数である場合、各ＣＬ−ＰＣプロセスに対する複合ＴＰＣは、複数のｍビットＴＰＣフィールドで表すことができる。即ち、ｍ＝２、ｎ＝４と仮定する。グループＴＰＣ  ＤＣＩペイロードが２０ビットである場合、グループＴＰＣ  ＤＣＩ内の１０個のＴＰＣフィールドは、５個のグループに束ねられて各グループが複合ＴＰＣを示すことができる。複数のＣＬ−ＰＣプロセスを有する無線機器には複数のＣＬ−ＰＣプロセスの各々に対するＴＰＣフィールドの位置を知らせることができる。または、複数のＣＬ−ＰＣプロセスのうち最初のＣＬ−ＰＣプロセスのためのＴＰＣフィールドの位置を知らせ、残りのＣＬ−ＰＣプロセスのＴＰＣは、連続するＴＰＣフィールドから得ることができる。例えば、無線機器に４個のＣＬ−ＰＣプロセスが割り当てられ、割り当てられたＴＰＣフィールドの位置がインデックス３と仮定する。無線機器は、インデックス３であるＴＰＣフィールドから連続する４個のＴＰＣフィールドが４個のＣＬ−ＰＣプロセスのためのＴＰＣを示すことを認識することができる。
【０１６８】
図１２は、既存ＴＰＣの利用による問題点を示す。
【０１６９】
ｎがｍの倍数でない場合、既存のｍビットのＴＰＣフィールドを基準にして複数のＣＬ−ＰＣプロセスが設定された無線機器にＴＰＣフィールドを知らせにくい。例えば、一つのＴＰＣフィールドが２ビットであり（ｍ＝２）、複合ＴＰＣは、１ビットＣＬ−ＰＣプロセスＩＤと２ビットＴＰＣを含んで３ビット（ｎ＝３）フィールドと仮定する。既存の２ビットＴＰＣフィールドのインデックスでは３ビットＴＰＣフィールドの正確な位置を知らせることができない。
【０１７０】
一実施例において、ｎがｍの倍数でない場合、複合ＴＰＣの位置は、ｍビットＴＰＣフィールドの位置を基準にするものではなく、ＤＣＩフォーマット内の複合ＴＰＣの位置をビットインデックスで表す。図１２の例において、２番目の３ビットフィールドの位置は、ビットインデックス３で表すことができる。または、ＤＣＩ内で、ｎビットＴＰＣフィールドとｍビットＴＰＣフィールドが任意の順序に組み合わせることができる場合、ｍビットＴＰＣフィールドの位置を前記のようなビットインデックスに基づいて知らせることができる。
【０１７１】
図１３は、提案されるグループＴＰＣ  ＤＣＩの一例を示す。
【０１７２】
ｎがｍの倍数でない場合、ｎビットＴＰＣフィールドの位置は、ｍビットＴＰＣフィールドのインデックスとビットシフト値で表すことができる。グループＴＰＣ  ＤＣＩが８個の２ビットＴＰＣフィールドを有し、０〜７のフィールドインデックスを有すると仮定する。３ビットＴＰＣフィールドの位置は、２ビットＴＰＣフィールドのインデックスとｋビットシフトで表すことができる。０＜＝ｋ＜＝（ｎ−ｍ）。または、ＤＣＩ内で、ｎビットＴＰＣフィールドとｍビットＴＰＣフィールドが任意の順序に組み合わせることができる場合、ｍビットＴＰＣフィールドの位置を前記のようなビットシフトに基づいて知らせることができる。
【０１７３】
図１４は、提案されるグループＴＰＣ  ＤＣＩの他の例を示す。
【０１７４】
ｎがｍの倍数でない場合、ｎビットＴＰＣフィールドのうちｍビットの開始位置は、ｍビットＴＰＣフィールドのインデックスを基準にして知らせ、残りのｎ−ｍビットの位置は、ＤＣＩペイロード大きさＰと該当２ビットＴＰＣフィールドインデックスの組み合わせで決定されることができる。例えば、３ビットＴＰＣフィールドに対して２ビットＴＰＣフィールドインデックスの位置を知らせ、残りの１ビットは、１６−Ｋ番目のビットで表すことができる。一般的に、残りのｎ−ｍビットの位置は、Ｐ−Ｋ＊（ｎ−ｍ）番目のビットとして認識でき、Ｐは、ＤＣＩフォーマットのペイロードのうちパディングビットを除外した大きさを示すことができる。
【０１７５】
図１５は、提案されるグループＴＰＣ  ＤＣＩの他の例を示す。
【０１７６】
ｎがｍの倍数でない場合、ｎビットＴＰＣフィールドの開始位置は、ｎビットＴＰＣビットインデックスで知らせ、ｎビットＴＰＣフィールドインデックスは、ＤＣＩペイロード大きさＰを基準にして最後のビット位置で相対的な位置に決定される。例えば、５個の３ビットＴＰＣフィールドのインデックスを０〜４とする時、３ビットＴＰＣフィールドインデックスＫは、１６ビットＤＣＩペイロードの最後のビットから（即ち、２ビットＴＰＣフィールドインデックスが付けられる方向と反対方向に）逆方向に定義されることができる。それに対し、ｍビットＴＰＣフィールドインデックスを最後のビットから始め、ｎビットＴＰＣフィールドインデックスを最初のビットから始めることができる。このとき、ＴＰＣ  ｐａｙｌｏａｄは、ｐａｄｄｉｎｇ  ｂｉｔを除外した大きさを意味する。Ｐは、ＤＣＩフォーマットのペイロードのうちパディングビットを除外した大きさを示すことができる。
【０１７７】
図１６は、ＴＰＣ  ＤＣＩを受信した後に適用されるタイミングの一例を示す。
【０１７８】
スロットｎでＴＰＣを有するＴＰＣ  ＤＣＩ（または、グループＴＰＣ  ＤＣＩ）を受信した無線機器は、スロットｎ＋Ｋ１＋Ｋ２でＴＰＣを適用することができる。一実施例において、Ｋ１は、固定された値である。Ｋ１は、セル内の全ての無線機器に共通的な値であり、または各無線機器に与えられる値である。他の実施例において、Ｋ１は、無線機器の力量によって与えられる値である。Ｋ１は、無線機器の力量によって前記ＴＰＣ  ＤＣＩを受信したスロットからＴＰＣを適用することができる最小時間または最大時間に対応する値である。Ｋ２は、オフセット値であって、０、１またはそれ以上の値を有することができる。Ｋ１とＫ２の値は、任意の時間単位で表現されることができ、例えば、ＯＦＤＭシンボル単位またはスロット単位である。ＴＰＣ  ＤＣＩを伝送するＰＤＣＣＨを受信するタイミングｎもスロット単位でなく任意の時間単位で表現されることができ、例えば、ＰＤＣＣＨを受信した最後のＯＦＤＭシンボルになる。
【０１７９】
以下、ＵＬ送信パワーテスト及び制御方式に対して記述する。
【０１８０】
２４ＧＨｚより大きい高周波帯域で多重アンテナアレイを利用してＢＦを実行する時、一つのアンテナアレイに含まれるアンテナ要素の数が多く且つ密集度が大きい場合、パワーアンプとアンテナコネクタとの間で無線機器の送信パワーを測定しにくい。したがって、ＵＬパワー制御が正しく実行されるかをテストするためには、アンテナで出力される送信パワーを直接大気上（ｏｖｅｒ  ｔｈｅ  ａｉｒ）で測定することが一層容易である。
【０１８１】
無線機器は、自分が形成した方向性（ｄｉｒｅｃｔｉｏｎ）及び方向性利得（ｄｉｒｅｃｔｉｖｅ  ｇａｉｎ）を有するＲＸビームを介して基地局により送信されたＤＬ信号を受信する。無線機器は、このＤＬ信号の受信パワーを測定し、基地局からの経路損失を測定する。同じまたは類似した方向性及び方向性利得を有するＴＸビームを介して基地局にＵＬ信号を送信しながら、前記測定された経路損失を補償すると仮定する。前記測定された経路損失ＰＬは、大気上の経路損失成分ＬとＲＸビームによるアンテナ利得成分Ｄを含んで、ＰＬ＝Ｌ−Ｄ＿ｄｌということができる。無線機器がＬのみを分離しにくいため、送信パワーには経路損失補償成分が−（Ｌ−Ｄ＿ｄｌ）になる。ここに、無線機器のＴＸアンテナ方向性利得成分Ｄ＿ｕｌが加えられて、送信パワーには結果的に−Ｌ＋Ｄ＿ｄｌ＋Ｄ＿ｕｌが追加される。Ｄ＿ｄｌ＝Ｄ＿ｕｌの場合、−Ｌ＋２Ｄ＿ｄｌでアンテナ利得が２回反映される問題が発生する。したがって、経路損失を正しく補償するためには大気上測定されるＥＩＲＰ（ｅｍｉｔｔｅｄ  ｉｓｏｔｒｏｐｉｃ  ｒａｄｉｏ  ｐｏｗｅｒ）よりはアンテナコネクタでの送信パワーにＵＬパワー制御を適用することがより効率的である。アンテナコネクタで測定される送信パワーを、便宜上、ＴＲＰ（ｔｒａｎｓｍｉｔ  ｒａｄｉｏ  ｐｏｗｅｒ）という。
【０１８２】
したがって、無線機器のＴＲＰを基準にしてＵＬパワー制御を適用する時、ＴＲＰをテストする方式及びパワー制御は、下記の通りである。この方式は、基地局やその以外の無線ノードのＴＲＰテストに対しても同じに適用されることができる。
【０１８３】
無線機器により形成されるビーム方向（ｂｅａｍ  ｄｉｒｅｃｔｉｏｎ）及びビーム形成（ｂｅａｍ  ｆｏｒｍ）に対してアンテナ利得Ｄｉを求める。ｉは、ビーム方向及びビーム形成を示すインデックスである。まず、ビームｉに対して所望のＴＲＰが出力されるかまたはＴＲＰが規定された最大ＴＲＰを超えないかをテストするためには、ビームｉに対するＥＩＲＰをＯＴＡで測定する。ビームｉに対するＴＲＰは、ＥＩＲＰ−ＤｉまたはＥＩＲＰ−Ｄｉ±ｅで表すことができる。ｅは、誤差範囲を考慮した値である。したがって、送信電力に対するテストは、ＥＩＲＰ測定値からこのように推定したＤｉ（＋−ｅ）値を引いた値をＴＲＰと仮定することで、ＴＲＰに対する送信電力要求充足可否テストを実行することができる。このテストは、あらかじめ決まった複数のビームｉに対して実行することができる。実際ＵＬパワー制御をＴＲＰに対して実行するためにはＤｉ値を基地局にあらかじめ報告できる。基地局は、Ｄｉを参照してＴＲＰに対する目標値設定などに活用できる。Ｄｉ値は、絶対値または特定ビームのアンテナ利得に対するオフセット値である。また、この方式は、基地局やその以外の無線ノードのＴＲＰテストに対しても同じ方式に適用できる。
【０１８４】
図１７は、本発明の実施例が具現される無線通信システムを示すブロック図である。
【０１８５】
無線機器５０は、プロセッサ（ｐｒｏｃｅｓｓｏｒ）５１、メモリ（ｍｅｍｏｒｙ）５２及び送受信機（ｔｒａｎｓｃｅｉｖｅｒ）５３を含む。メモリ５２は、プロセッサ５１と連結され、プロセッサ５１により実行される多様な命令語（ｉｎｓｔｒｕｃｔｉｏｎｓ）を格納する。送受信機５３は、プロセッサ５１と連結され、無線信号を送信及び／または受信する。プロセッサ５１は、提案された機能、過程及び／または方法を具現する。前述した実施例において、無線機器の動作は、プロセッサ５１により具現されることができる。前述した実施例がソフトウェア命令語で具現される時、命令語は、メモリ５２に格納され、プロセッサ５１により実行されて前述した動作が実行されることができる。
【０１８６】
基地局６０は、プロセッサ６１、メモリ６２及び送受信機６３を含む。基地局６０は、非免許帯域で運用されることができる。メモリ６２は、プロセッサ６１と連結され、プロセッサ６１により実行される多様な命令語を格納する。送受信機６３は、プロセッサ６１と連結され、無線信号を送信及び／または受信する。プロセッサ６１は、提案された機能、過程及び／または方法を具現する。前述した実施例において、基地局の動作は、プロセッサ６１により具現されることができる。
【０１８７】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１８８】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0006840868.tif 000004
【図２】
0006840868.tif 000005
【図３】
0006840868.tif 000006
【図４】
0006840868.tif 000007
【図５】
0006840868.tif 000008
【図６】
0006840868.tif 000009
【図７】
0006840868.tif 000010
【図８】
0006840868.tif 000011
【図９】
0006840868.tif 000012
【図１０】
0006840868.tif 000013
【図１１】
0006840868.tif 000014
【図１２】
0006840868.tif 000015
【図１３】
0006840868.tif 000016
【図１４】
0006840868.tif 000017
【図１５】
0006840868.tif 000018
【図１６】
0006840868.tif 000019
【図１７】
0006840868.tif 000020